(57)【要約】【課題】　薬液を収容する容器の数は増やさず、かつ作業を複雑化させずにろ過器を薬液で洗浄できる薬液注入装置及び水処理装置を提供する。【解決手段】　ろ過器２５に被処理水を循環させて水処理を行う水処理装置１７の被処理水循環流路１９に微生物殺滅用の薬液３を注入する水処理装置用の薬液注入装置であり、微生物殺滅用の薬液３を収容する容器５と、容器５内の薬液３が通流し、水処理装置１７の被処理水循環流路１９に薬液を注入する第１及び第２の２系統の薬液流路７ａ、７ｂと、第１の薬液流路７ａに設けられた第１のポンプ９と、第２の薬液流路７ｂに設けられた第２のポンプ１１とを備え、第１の薬液流路９は、被処理水循環流路１９内の被処理水の通流方向に対してろ過器２５よりも上流側の被処理水循環流路１９の部分に連結され、第１のポンプ９は、第２のポンプ１１よりも流量が大きい構成とする。【選択図】　　　　図１　
0003100697.tif 000002
【実用新案登録請求の範囲】
【請求項１】
ろ過器に被処理水を循環させて水処理を行う水処理装置の被処理水循環流路に微生物殺滅用の薬液を注入する水処理装置用の薬液注入装置であり、
　微生物殺滅用の薬液を収容する容器と、該容器内の薬液が通流し、水処理装置の被処理水循環流路に薬液を注入する第１及び第２の２系統の薬液流路と、前記第１の薬液流路に設けられた第１のポンプと、前記第２の薬液流路に設けられた第２のポンプとを備え、前記第１の薬液流路は、水処理装置の被処理水循環流路内の被処理水の通流方向に対してろ過器よりも上流側の被処理水循環流路の部分に連結され、前記第１のポンプは、前記第２のポンプよりも流量が大きいことを特徴とする薬液注入装置。
【請求項２】
前記第１のポンプ及び前記第２のポンプの駆動及び停止を制御する制御部を備え、該制御部は、水処理装置が被処理水のろ過処理を行っているときには前記第１のポンプを停止状態、前記第２のポンプを駆動状態とし、水処理装置がろ過器の洗浄を行っているときには、前記第１のポンプを駆動状態、前記第２のポンプを停止状態としてなることを特徴とする請求項１に記載の薬液注入装置。
【請求項３】
被処理水を循環させる被処理水循環流路と、該被処理水循環流路に設けられ、ろ過により被処理水を行うろ過器と、前記被処理水循環流路に微生物殺滅用の薬液を注入する薬液注入装置とを備えた水処理装置であり、
　前記薬液注入装置は、請求項１または２に記載の薬液注入装置であることを特徴とする水処理装置。
　
【考案の詳細な説明】
【技術分野】
【０００１】
　本考案は、水処理装置用の薬液注入装置に係り、特に、ろ過器に被処理水を循環させて水処理を行う水処理装置用の薬液注入装置に関する。
【背景技術】
【０００２】
　浴槽やプールなどでは、浴槽やプールなどに収容された水や湯中の浮遊物を除去するため、ろ過器に被処理水を循環させて水処理を行う水処理装置が設けられている。さらに、このような水処理装置には、浴槽やプールなどに収容された水や湯中の微生物を殺滅すると共に繁殖を抑制するため、被処理水を循環させているときに、被処理水循環流路中に微生物を殺滅する薬液を注入する薬液注入装置が設けられている。薬液注入装置は、薬液を収容する容器とこの容器内の薬液を被処理水循環流路に導いて注入するための薬液流路やポンプなどを備えている。（例えば、特許文献１参照）
【０００３】
【特許文献１】特開２００１−３４９０７５号公報（第２頁、第１図）
【考案の開示】
【考案が解決しようとする課題】
【０００４】
　ところで、ろ過器に被処理水を循環させて水処理を行う水処理装置では、被処理水をろ過処理しているときとは逆方向に洗浄水をろ過器内に通流させる所謂逆洗などにより、ろ過器の洗浄を行う。従来のろ過器の洗浄では、洗浄水をろ過方向とは逆方向に通流させることで、ろ材に捕捉されたごみを除去している。しかし、ろ過器の洗浄水による洗浄を行うだけでは、ろ過器中に繁殖する微生物を除去することはできない。このため、ろ過器の洗浄時に、被処理水を循環させてろ過処理しているときに被処理水中に含まれる微生物殺滅用の薬液よりも高濃度の薬液をろ過器内に通流させることで、ろ過器内に繁殖する微生物を殺滅することが必要となっている。
【０００５】
　これに対して、薬液注入装置を、被処理水のろ過処理を行っているときに用いる比較的低濃度の薬液を収容する容器及びこの薬液を注入するためのポンプ、そして、ろ過器を洗浄するときに用いる比較的高濃度の薬液を収容する容器及び薬液を注入するためのポンプなどを備えた構成、すなわち、容器とポンプを２組備えた構成とすることが考えられている。さらに、１組の容器とポンプを備え、被処理水を循環させてろ過処理を行っているときと、ろ過器を洗浄するときとで、ポンプの流量を調整し、被処理水中に注入する薬液の量で被処理水中に含まれる薬液の濃度を調整することも考えられている。
【０００６】
　しかし、容器とポンプを２組備えた構成とすると、薬液を収容する容器が２つになることから、設置スペースの増大や設置作業の煩雑化、コストの増加などを招いてしまう。また、１組の容器とポンプを備え、ポンプの流量を調整する構成とすると、薬液を収容する容器の数は増えないが、ろ過器を洗浄するときにポンプの流量を調整するといった煩雑な作業が必要になってしまう。このため、薬液を収容する容器の数は増やさず、かつ、煩雑な作業を行うことなしにろ過器を薬液で洗浄できる薬液注入装置が望まれている。
【０００７】
　本考案の課題は、薬液を収容する容器の数は増やさず、かつ、煩雑な作業を行うことなしにろ過器を薬液で洗浄できる薬液注入装置及び水処理装置を提供することにある。
【課題を解決するための手段】
【０００８】
　本考案の薬液注入装置は、ろ過器に被処理水を循環させて水処理を行う水処理装置の被処理水循環流路に微生物殺滅用の薬液を注入する水処理装置用の薬液注入装置であり、微生物殺滅用の薬液を収容する容器と、この容器内の薬液が通流し、水処理装置の被処理水循環流路に薬液を注入する第１及び第２の２系統の薬液流路と、第１の薬液流路に設けられた第１のポンプと、第２の薬液流路に設けられた第２のポンプとを備え、第１の薬液流路は、水処理装置の被処理水循環流路内の被処理水の通流方向に対してろ過器よりも上流側の被処理水循環流路の部分に連結され、第１のポンプは、第２のポンプよりも流量が大きい構成とすることにより上記課題を解決する。
【０００９】
　このような構成とすれば、水処理装置で被処理水をろ過処理しているときには、第１のポンプを停止し、第２のポンプを駆動することで、第１のポンプよりも流量が小さい第２のポンプで薬液が被処理水循環流路に注入されることにより、被処理水循環流路中には、比較的低濃度の薬液が通流することになる。一方、水処理装置のろ過器を洗浄するときには、第１のポンプを駆動し、第２のポンプを停止した状態に切り換えることで、第２のポンプよりも流量が大きい第１のポンプで薬液がろ過器よりも被処理水の流れに対して上流側の被処理水循環流路の部分に注入されることにより、ろ過器には、比較的高濃度の薬液が通流することになる。このように、薬液を収容する容器が１つでも、使用するポンプを切り換えるという簡単な作業でろ過器を薬液で洗浄できる。すなわち、薬液を収容する容器の数は増やさず、かつ、煩雑な作業を行うことなしにろ過器を薬液で洗浄できる。
【００１０】
　また、第１のポンプ及び第２のポンプの駆動及び停止を制御する制御部を備え、この制御部は、水処理装置が被処理水のろ過処理を行っているときには第１のポンプを停止状態、第２のポンプを駆動状態とし、水処理装置がろ過器の洗浄を行っているときには、第１のポンプを駆動状態、第２のポンプを停止状態とする構成とする。このような構成とすれば、例えば、水処理装置からのろ過洗浄の開始を指令する信号を受信することなどによって、自動的に通流させる薬液の濃度を切り換えることができる。したがって、ろ過器の薬液での洗浄作業を一層簡素化できる。
【００１１】
　さらに、本考案の水処理装置は、被処理水を循環させる被処理水循環流路と、この被処理水循環流路に設けられ、ろ過により被処理水を行うろ過器と、被処理水循環流路に微生物殺滅用の薬液を注入する薬液注入装置とを備えた水処理装置であり、薬液注入装置は、上記のいずれかの構成の薬液注入装置である構成とする。
【考案の効果】
【００１２】
　本考案によれば、薬液を収容する容器の数は増やさず、かつ、煩雑な作業を行うことなしにろ過器を薬液で洗浄できる薬液注入装置及び水処理装置を提供できる。
【考案を実施するための最良の形態】
【００１３】
　以下、本考案を適用してなる薬液注入装置及び水処理装置の一実施形態について図１を参照して説明する。図１は、本考案を適用してなる薬液注入装置及び水処理装置の概略構成及び動作を示す図である。なお、本実施形態は、浴槽に取り付けられ、浴槽に収容された湯を被処理水とする水処理装置を一例として説明するが、本考案の薬液注入装置及び水処理装置は、浴槽に限らずプールなどにも適用できる。
【００１４】
　本実施形態の薬液注入装置１は、図１に示すように、微生物を殺滅すると共に、微生物の繁殖を抑制する次亜塩素酸ナトリウムなどの塩素系の微生物殺滅用薬液３を収容する容器である薬液タンク５、薬液タンク５の底部から上方に延在し、薬液タンク５の外で２本に分岐する薬液管路７、分岐した第１薬液管路７ａに設けられた第１ポンプ９、分岐した第２薬液管路７ｂに設けられた第２ポンプ１１、そして、第１ポンプ９や第２ポンプ１１の動作を制御する制御部１３などを備えている。なお、制御部１３は、第１ポンプ９、そして第２ポンプ１１と配線１５を介して電気的に接続されている。
【００１５】
　また、本実施形態の水処理装置１７は、一端が被処理水となる湯が収容された図示していない浴槽の排水口部に連結され、他端が図示していない浴槽の給水口部に連結された被処理水循環管路１９、被処理水循環管路１９内の湯の通流方向に対して上流側から順に設けられた除毛器２１、循環ポンプ２３、ろ過器２５、そして熱交換器２７などを備えている。被処理水循環管路１９の除毛器２１よりも上流側の部分、及び循環ポンプ２３よりも下流側の部分には、各々、被処理水循環管路１９内の湯の流れを制御する弁２９、３１が設けられている。被処理水循環管路１９の循環ポンプ２３と弁３１との間には逆止弁３３が設けられている。
【００１６】
　ろ過器２５は、例えば槽内にろ材となる砂などが収容されたものであり、上部と下部とに、各々、被処理水循環管路１９が連結されている。被処理水循環管路１９のろ過器２５の上部への連結部分と下部への連結部分とには、各々、三方弁３５、３７が設けられている。ろ過器２５の上部側に設けられた三方弁３５には、ろ過器２５の逆洗時に洗浄水を排水するための排水管路３９が連結されている。ろ過器２５の下部側に設けられた三方弁３７には、被処理水循環管路１９のろ過器２５の上部側に連結された部分の三方弁３５よりも上流側から分岐した分岐管路４１が連結されている。
【００１７】
　熱交換器２７は、図示していないボイラなどからの温水、例えば６０℃から７０℃といった温度の温水と被処理水である湯との間で熱交換を行い、湯を所定の温度に保温するものである。このため、熱交換器２７には、図示していないボイラなどからの温水管路４３が連結されている。また、熱交換器２７に連結された２本の温水配管４３間をバイパスするバイパス管路４５、バイパス管路４５への温水の通流を制御する三方弁４７などが設けられている。三方弁４７によるバイパス管路４５への温水の通流及び遮断の切り換えにより、熱交換器２７での被処理水である湯の加温状態を調整し、湯を所定の温度に保温している。
【００１８】
　なお、循環ポンプ２３、三方弁３５、３７及び４７などは、循環ポンプ２３の駆動及び停止、三方弁３５、３７及び４７の切り換えなどを制御する図示していない水処理装置用制御部に図示していない配線を介して電気的に接続されている。また、薬液注入装置１の制御部１３と図示していない水処理装置用制御部とを一体に構成することもできる。
【００１９】
　ここで、薬液注入装置１の第１ポンプ９が設けられた第１薬液管路７ａは、被処理水循環管路１９の循環ポンプ２３とろ過器２５との間の部分、さらに詳しくは、弁３１と分岐管路４１の分岐部との間の部分に連結されている。一方、薬液注入装置１の第２ポンプ１１が設けられた第２薬液管路７ｂは、処理水循環管路１９の熱交換器２７よりも下流側の部分に連結されている。
【００２０】
　第１ポンプ９は、第２ポンプ１１よりも流量が大きなポンプであり、第１ポンプ９の流量は、第１薬液管路７ａを介して処理水循環管路１９に注入された薬液３が、例えば法令等で要求されているろ過器洗浄時の濃度、すなわち、薬液が次亜塩素酸ナトリウムである場合、被処理水である湯中で５ｐｐｍから１０ｐｐｍ程度の濃度になるように選択されている。一方、第２ポンプ１１は、第１ポンプ９よりも流量が小さなポンプであり、第２ポンプ１１の流量は、第２薬液管路７ｂを介して処理水循環管路１９に注入された薬液３が、例えば法令等で要求されている入浴用の湯中の濃度、すなわち、薬液が次亜塩素酸ナトリウムである場合、被処理水である湯中で０.２ｐｐｍから０.４ｐｐｍ程度の濃度になるように選択されている。
【００２１】
　なお、第２薬液管路７ｂは、処理水循環管路１９の熱交換器２７よりも下流側の部分に限らず、第１薬液管路７ａと同様に循環ポンプ２３とろ過器２５との間の部分に連結するなど、連結位置は、すなわち薬液の注入位置は適宜選択できる。
【００２２】
　このような構成の薬液注入装置１及びこの薬液注入装置１を備えた水処理装置１７の動作と本考案の特徴部について説明する。なお、図１において、実線の矢印は、被処理水である湯のろ過処理時の湯の流れを示し、一点破線の矢印は、ろ過器２５の逆洗時の洗浄水となる湯の流れを示し、そして、破線の矢印は、薬液の流れを示している。
【００２３】
　水処理装置１７の図示していない水処理装置用制御部において運転指令がなされると、三方弁３５、３７が、湯がろ過器２５に上部から流入し下部から流出する弁位置の状態にされ、循環ポンプ２３が駆動される。このとき、薬液注入装置１の制御部１３は、図示していない水処理装置用制御部からの運転指令信号を受信すると、第２ポンプ１１のみを駆動し、処理水循環管路１９に薬液を注入する。これにより、被処理水である湯が、図１中に実線の矢印で示したように、図示していない浴槽から処理水循環管路１９に流入し、除毛器２１で除毛され、ろ過器２５でろ過処理され、熱交換器２７で保温され、そして、薬液が注入された後図示していない浴槽に戻されるという、湯の循環による湯のろ過処理が行われる。
【００２４】
　水処理装置１７の図示していない水処理装置用制御部は、タイマー機能を有しており、循環による湯のろ過処理が所定時間行われると、ろ過器２５の逆洗による洗浄を行う。循環による湯のろ過処理が所定時間行われると、図示していない水処理装置用制御部は、三方弁３５、３７が、湯が分岐管路４１を介してろ過器２５に下部から流入し上部から流出して排水管路３９を介して排出される弁位置の状態に切り換えられる。このとき、薬液注入装置１の制御部１３は、図示していない水処理装置用制御部からの逆洗開始信号を受信すると、第２ポンプ１１を停止して、第１ポンプ９のみを駆動し、処理水循環管路１９のろ過器２５よりも上流側の部分に薬液を注入する。これにより、湯のろ過処理時よりも高濃度の薬液を含む洗浄水となる湯が、図１中に一点破線の矢印で示したように、ろ過器２５に下部から流入し上部から流出することで、ろ材の逆洗が行われると共に、ろ過器２５内が高濃度の薬液で洗浄されることによるろ材中に生息していた微生物の殺滅が行われる。
【００２５】
　水処理装置１７の図示していない水処理装置用制御部は、所定時間ろ過器２５の逆洗を行った後、再び、三方弁３５、３７が、湯がろ過器２５に上部から流入し下部から流出する弁位置の状態にされ、湯の循環によるろ過処理を開始する。このとき、薬液注入装置１も、図示していない水処理装置用制御部からの信号により、第１ポンプ９を停止し、再び第２ポンプ１１のみを駆動して、処理水循環管路１９に薬液を注入し、湯中に低濃度の薬液が含まれた状態とする。
【００２６】
　このように、本実施形態の薬液注入装置１及びこの薬液注入装置１を備えた水処理装置１７では、被処理水をろ過処理しているときには、薬液注入装置１の流量が大きい方の第１ポンプ９を停止し、流量が少ない方の第２ポンプ１１を駆動することで、被処理水循環管路１９中に、比較的低濃度の薬液が通流する状態にする。一方、ろ過器２５を逆洗するときには、薬液注入装置１の流量が大きい方の第１ポンプ９を駆動し、流量が少ない方の第２ポンプ１１を停止した状態に切り換えることで、ろ過器２５内に比較的高濃度の薬液が通流する状態にする。このように、薬液注入装置１は、薬液を収容する容器が容器５のみでも、薬液を注入するためのポンプを、第２ポンプ１１から第１ポンプ９に切り換えるという簡単な作業でろ過器２５を高濃度の薬液で洗浄できる。すなわち、薬液を収容する容器の数は増やさず、かつ、煩雑な作業を行うことなしにろ過器を薬液で洗浄できる。
【００２７】
　さらに、本実施形態では、薬液注入装置１が、第１ポンプ９及び第２ポンプ１１の駆動及び停止を制御する制御部１３を備えている。そして、制御部１３は、水処理装置１７からの信号に応じ、湯のろ過処理を行っているときには第１ポンプ９を停止状態、第２ポンプ１１を駆動状態とし、ろ過器２５の洗浄を行っているときには、第１ポンプ９を駆動状態、第２ポンプ１１を停止状態としている。このため、自動的に通流させる薬液の濃度を切り換えることができ、ろ過器の薬液での洗浄作業を一層簡素化できる。
【００２８】
　また、本実施形態では、薬液注入装置１の薬液管路７は、容器５の外側で、第１薬液管路７ａと第２薬液管路７ｂに分岐しているが、容器５に別個の２本の薬液管路を連結した構成などにすることもできる。このように、薬液注入装置１は、１つの容器と、２つの流量が異なるポンプとを備えていれば様々な構成にすることができる。
【００２９】
　また、本考案は、本実施形態の構成の水処理装置１７に限らず、被処理水のろ過処理を行う様々な構成の水処理装置に適用できる。
【図面の簡単な説明】
【００３０】
【図１】本考案を適用してなる薬液注入装置及び水処理装置の一実施形態の概略構成及び動作を示す図である。
【符号の説明】
【００３１】
　　１　薬液注入装置
　　３　薬液
　　５　容器
　　７　薬液管路
　　７ａ　第１薬液管路
　　７ｂ　第２薬液管路
　　９　第１ポンプ
　１１　第２ポンプ
　１３　制御部
　１５　配線
　１７　水処理装置
　１９　被処理水循環管路
　２３　循環ポンプ
　２５　ろ過器
【図１】
0003100697.tif 000003